(57)【要約】      （修正有）【課題】広く国民の間で高まる健康志向に沿ったウオーキング、ジョギング、マラソン等のスポーツ活動が盛んとなり、とりわけ夜間のスポーツ人口が増加し、その際に安全性、防犯性の確保を担保できる光る抗菌性リストバンドの改良改善と電子マネーチップをリストバンドに内蔵させ、小銭入れ、お財布の携帯を排除できる新たな機能を付加し、革新的な利便性を提案しようとする課題。【解決手段】発光撚糸と抗菌加工済み撚糸を混紡し、肌に優しく吸湿性に優れた木綿主体の織物で構成した光る抗菌性リストバンドとする。該光る抗菌性リストバンドの基体に収納容器を施設し、該収納容器に、電子マネーチップ、各種生体情報収集・分析端末、ＧＰＳ端末等を着脱可能とする。【選択図】図５
2019035180.tif 000002
【特許請求の範囲】
【請求項１】
人肌に優しく吸湿性に優れた木綿撚糸又はオーガニック木綿撚糸を主体としたガーゼ織物、タオル織物又は双方を混紡した織物に蓄光性発光物質を含む発光撚糸、抗菌加工された撚糸及び伸縮性撚糸を緯糸として一定間隔で混紡したそれぞれの織物で構成された基体の光る抗菌性リストバンド等は、消費者が夜間に片腕又は両腕に着用すれば前後左右等の周囲に向かって全位方向に発光でき、遠方からの視認率を高め、夜間に外出する際又は屋外活動する際に防犯上の安全性を確保し、又夜間にウオーキング、ジョギング等のスポーツ活動をする際に前後左右で走行する自動車、自動二輪車又は二輪車等との接触事故、追突事故等を事前に回避できる機能を有し、更に一般的に存在するヘア―バンド、レッグバンド、ベルト、バンド、トレーニングウエア、キャップ、シューズ、グローブ、バッグ、マフラー、スカーフ等の身の回り品、下着類、その他衣服類を基体とした場合にもこの機能は適用可能であり、その機能の利便性を広範囲に拡大し提供できる考案。
【請求項２】
上記［請求項１］に記述の光る抗菌性リストバンド等の各種基体に円形又は異形の収納容器を単数又は複数施設し、時計、スマートウオッチ、スマートフォン、電子マネーチップ、ＩＤチップ、宝飾品、ＬＥＤライト、歩数計、心拍計、血圧計、その他生体情報収集・分析器、カロリー消費計、センサー、ＧＰＳ端末、Ｂｌｕｅｔｏｏｔｈ，その他通信端末器等を単体又は複合体として搭載した円形又は異形の防水型挿入機器をＴＰＯに応じて挿入、着脱の反復操作を平易に実施できる収納容器を基体に単数又は複数施設が可能であり、その場合防水型挿入機器を頻繁に取り出し、光る抗菌性リストバンド等の基体に付着した汗、匂い又は汚れを頻繁に洗濯機等で水洗いし乾燥させれば、光る抗菌性リストバンド類の清潔さを常時保持し、美観の維持を可能とし、収納容器を構成するコの字型金属製リムで基体を挟み込み上下から金属製コの字部分をカシメ留めで基体に固着する構造は、一般的な接着剤の使用による基体への固着が水に溶けやすく劣化する危険の発生を回避でき、洗濯機の洗濯でも耐える構造物として提案できる考案。
【請求項３】
上記［請求項１、及び２］に記述の光る抗菌性リストバンド類等を各種基体とした場合、円形又は異形の電子マネーチップ、ＩＤチップ等を搭載した円形又は異形の防水型挿入機器を着脱自在に収納できる円形又は異形の収納容器を各種基体に固着する技術として、一般的に水に溶解し劣化しやすい接着剤のみのでの固着を回避し、各種基体に円形又は異形の空洞を単数又は複数施設し、空洞の周囲を人肌に優しい接着材で固め、円形又は異形の空洞側面に沿って成形されたコの字型金属製のリムで基体の空洞側面を覆い、リムの外側に突き出した金属製コの字型部分を上下からそれぞれ基体を挟み込んでカシメ留めで固着し、基体から生地のほぐれ、ほつれの発生を防止し、防水型挿入機器を基体から取り外し、収納容器と一体の基体を洗濯機で丸ごとの洗濯に堪らる構造物の考案であり、挿入機器の外側側面の中央部を僅かになだらかな凸状に構築し、収納容器の内側側面の中央部を僅かに凹状に構築し、防水型挿入機器と収納容器が相互に軽く勘合し、消費者が収納容器の表面又は裏面を指で押し、防水型挿入機器を容易に着脱できる技術を構築することができる考案
【請求項４】
上記［請求項１，２及び３］に記述の光る抗菌性リストバンド等の蓄光性の物質を含有する発光撚糸お呼び抗菌加工された撚糸を混紡した光る抗菌性機能は、ヘアバンド、レッグバンド、タオル、バンド、ベルト、ブレスレット、ネックレス、ペンダント紐、くつ紐、その他紐類、及び布製バッグ、布製シューズ、布製グローブ、布製帽子、スカーフ、マフラー、下着、衣服類等の基体にも適用でき、時計類、スマートウオッチ、歩数計、血圧計、脈拍計、カロリー消費計、各種生体情報収集・分析器、ラップ計測計、電子マネーチップ、各種ＩＤチップ、ＧＰＳ端末、送受信端末類を単体、又は統合して搭載した各種防水型挿入機器が、各種基体に施設された単体又は複数の各種収納容器に自在に着脱できる考案。
【請求項５】
上記［請求項１，２，３、及び４］にある考案は、スマートウオッチ、歩数計、血圧計、脈拍計、カロリー消費計、各種生体情報収集・分析器、ラップ計測器、各種センサー、ＧＰＳ端末、Ｂｌｕｅｔｏｏｔｈ、送受信端末類を単体で、もしくは複合体で搭載した各種防水型挿入機器を各種基体に単体又は複数の収納容器に挿入し、現場作業者、スポーツ活動者、障碍者、認知症患者、病院内外の患者の皆さんから生体情報の収集・分析のために着用して頂き、それらのデーターを情報管理センタ―又はナースステーションに送信し、着用者皆さんの健康情報、生体情報、位置情報等が受信収集分析でき、適切な診断、アドバイス、アラーム等が着用者の皆さんに直接又は間接に送信できる遠隔管理システムを構築する考案。
【発明の詳細な説明】
【技術分野】
【０００１】蓄光性発光物質を含む発光性撚糸及び抗菌加工された撚糸を混紡したガーゼ織物、タオル織物又は両者混合の織物で構成された伸縮性のある光る抗菌性リストバンド類に電子マネーチップ及びＩＤチップを埋設し、消費者の利便性を拡大する技術に関する
【背景技術】
【０００２】健康志向の高まりに合わせて散歩、ウオーキング、ジョギング、等の活動をする夜間人口が増え、安全性、防犯性の確保に役立つ光る抗菌性リストバンド類の基体に電子マネーチップ、その他ＩＤチップ、及び情報端末を搭載し、小銭入れサイフの携行を不要にする新たな技術に関する。
従来技術としては不十分ながら発光するリストバンド、又は発光するタオルに関する考案はある。（特許文献１、２，３，４を参照）
【先行技術文献】
【特許文献】
【０００３】
【特許文献１】実用新案登録第３１５５３００号
【特許文献２】実用新案登録第３０７４５９１号
【特許文献３】実用新案登録第３１４４０９７号
【特許文献４】実用新案登録第３１４３０６８
【発明の概要】
【発明が解決しようとする課題】
【０００４】従来技術（特許文献１の［請求項１］）で開示されている発光するリストバンドでは、揺動を検知することによって発光しうる発光装置を基体に施設し、揺動検知センサーと上記発光装置の配置方向を検知しうる配置方向検知手段とを併せて内蔵し、上記配置方向検知手段が所定の配置方向を検出できた場合にのみ、発光装置を発光させる複雑で限定された機能で構成されている発光システムが着用者に使用上の限定条件及び不自由な使用方法を強いる不都合を排除しようとする課題。【０００５】更に上記従来技術（特許文献１の［請求項１］）で開示されている発光装置を素材不明のリストバンドの表面中央部に埋設する技術は不明であり、使用電池の交換及び充電のための技術も不明である問題点を排除しようとする課題【０００６】従来技術（特許文献２の［請求項１］）で開示されている発光タオルでは、大きなタオル織物の一部に蓄光性発光物質を含む発光糸が緯糸として織り込まれた発光ライン部がタオル本体の少なくとも一部又は少数部位に形成されていることを特徴としているが、一部または少数部位だけからの発光に限定される為、タオル全部位からの発光ではなく、着用する消費者から前後左右等全方位への発光が困難であり、夜間の不測な接触事故、交通事故等の回避、或いは安全性確保への期待効果が不十分であることを排除しようとする課題。【０００７】リストバンド兼用タオルの従来技術（特許文献３の［００１８］）にて開示されている、平板状の小型タオルを円筒形に変形しリストバンドにする技術が開示されているが、タオル地の上下にはプラスチック製円形凸凹留め具を双方に施設し上下のホック機能を使用しようとする場合、仮に凸凹留め具の接着方法の一つとして人肌に優しい接着剤を使用する場合は基体の頻度の高い水洗いで接着剤は溶解し、仮にプラスチック製円形凸凹留め具を上下のタオル生地に固着するためにハトメ方法を採用すれば硬質な留め具の突出部により人肌に不快な刺激を惹起する不都合を排除しようとする課題。【０００８】従来技術の蓄光及び再帰反射を有した多目的リストバンド（特許文献４の［請求項１］）に、光を効率的に反射する再帰反射部材を具備した平板形状バンドを基体としてその中央部分の表面に連続して帯状に蓄光部材を具備するリストバンドの技術が開示されているが、平板形状バンドの素材が不明であり、人肌に優しい木綿撚糸、又はオーガニックな木綿撚糸を主体としたタオル織物、ガーゼ織物、又は双方の混合織物で構成されたリストバンド類の基体が有する優れた素材の使用を無視している問題点を排除しようとする課題。【０００９】電子マネーチップを内蔵した小型容器に吊り下げ紐を付設した製品及び単独の電子マネーカード製品はあるが、携帯方法及び使用方法が限定されており、フィットネス、ヨガ、ダンス、ウオーキング、ジョギング、マラソン、サイクリング等の活動中に従来製品である電子マネーカード又は吊り下げ紐付電子マネーチップ容器でのお買い物操作の不便、不自由を排除し、小銭入れ、お財布の携行上の煩わしさ及び使用上の複雑さを排除しようとする課題【００１０】プラスチック製リストバンドに電子マネーチップを搭載した製品は多いが、人肌に優しく、アレルギー発症を回避でき、汗取リ、汗ぬぐいができ洗濯機で洗える布製リストバンドに電子マネーチップが施設された本考案は、フィトネス、ヨガ、ダンス、ウオーキング、ジョギング、マラソン等々のスポーツ活動中に安易に買い物ができ、小銭入れ、お財布の携帯を不要とし、小銭入れ、お財布の盗難、紛失から回避し、小銭入れ、お財布等貴重品を自宅等に安全に保管しようとする課題
【課題を解決するための手段】
【００１１】本考案においては、複雑な部品と高度な構造を必要とする発光装置の製造と素材不明のリストバンドの中央部表面側に埋設する従来技術（特許文献１）は着用者に不如意な使用感と重量感を惹起し、又発光装置が所定の配置方向を検出した場合のみに発光装置が作動する限定機能が着用者に惹起する不自由な使用感、屋外活動時に一方向のみにＬＥＤが点灯する限定機能の不都合を解消するために、発光撚糸と抗菌加工済み撚糸を混紡し、肌に優しく吸湿性に優れた木綿主体の織物で構成され、夜間の外出時及びスポーツ活動時に光る抗菌性リストバンドの各部位から周囲の全方位に発光し事故防止、犯罪抑制に有用な効果を平易に且つ廉価に発揮する機能と、軽量化された使用感を提供する光る抗菌性リストバンドの考案。【００１２】更に本考案は、歩度計、心拍計、血圧計、カロリー消費計、各種センサー、各種生体情報収集・分析端末、ストップウオッチ、スマートウオッチ、Ｂｌｕｅｔｏｏｔｈ、ＧＰＳ端末、ＩＤチップ、電子マネーチップ、その他情報通信端末等を単体もしくは複合体で搭載した各種挿入機器をＴＰＯに応じて本考案の光る抗菌性リストバンド等の基体に施設された収納容器に自在な着脱を可能をし、夜間に車椅子に乗車する歩行困難な身体障碍者さん及び患者さん又は病院内外で治療中の患者さんの両腕にＧＰＳ端末又は医療計測機器、生体情報収集分析機器及び通信端末器を搭載した本考案を着用し、車椅子に付き添いの介護者さんの両腕にも同一機能の本考案を着用し夜間外出時の位置情報の受発信、更には病院内外の患者さんの医療用データーを視認し、情報管理センター又はナースステーションへの送受信で病院内外の患者さんの行動、健康状況を遠隔から管理でき、医療現場の効率化の用途と医療厚生上の補助ツールとしての用途等、新規用途拡大の利便性を加療中の患者さん、医療現場のお医者さん、看護師さん、介護師さんに利便性、効率性を提供できるシステムを構築できる考案。【００１３】本考案は、それぞれの光る抗菌性リストバンド等の基体ごとに施設された収納容器に挿入機器を自在に着脱できる機能を生かし、多様なカラー、柄等の各種デザインの基体をコレクション展開でき、消費者のファッション志向に合わせてそれぞれの基体の取り換えを可能とし、夜間だけでなく昼間のタウン・アクセサリーとして消費者の期待できるファッション・シーンの拡張に貢献できる新しいシステムを提案できる考案．【００１４】本考案は光る抗菌性リストバンド等に使用される織物類で構成された基体の収納容器に電子マネーチップ類の電子情報機器類を搭載した挿入機器を自在に着脱できる新技術の提案であり、従来技術（特許文献３の［００１８］）に開示されている基体にプラスチック製円筒形凸凹の留め具類を施設する場合の技術の明細が不明示であることにとらわれない考案。【００１５】本考案の光る抗菌性リストバンド等は、人肌に優しく、汗等の水滴類を吸収しやすく、又水滴類を拭うのに便利な木綿糸又はオーガニックな木綿糸を主体とした伸縮性あるガーゼ織物、タオル織物、又はその混合織物で構成されており、従来技術（特許文献４の［請求項１］）で開示されている平板形状バンドの使用素材は不明であり、人肌に優しいか、吸湿性に優れているか、人体になじみ易いかの疑問が存在するが、本考案はこれ等の不明点、疑問点にとらわれない考案。【００１６】本考案の光る抗菌性リストバンド等に電子マネーチップを設置すれば、昼間、夜間を問わずフィットネス、ヨガ、ダンス、ウオーキング、ジョギング、マラソン、サイクリング等のスポーツ活動、或いはボランテイア活動をなさっている消費者の皆様が屋内外で買い物をなさる場合、更には一般消費者がレジャーランド、ショッピングモール、コンビニ等で買い物をなさる場合、小銭入れ、お財布等貴重品類の不携帯が可能となり、盗難紛失を回避し、自宅等で貴重品類の安全性が確保できる革新的な利便性を提案できる。
【発明の効果】
【００１７】従来技術（特許文献１の［請求項１］）で開示されている複雑な部品と高度な製造技術を必要とする重量のある発光装置で構成されている考案では、使用者に制限された発光の限定的な利便性のみしか提供できないが、本新考案は蓄光性発光物質を含む発光撚糸お呼び抗菌加工された撚糸を緯糸としてガーゼ織物、タオル織物又は双方の混合織物に混紡した織物類で構成された光る抗菌性リストバンド、手袋等を提供し、夜間に着用した消費者が前後左右等の全周囲の全方位に向かって発光できる利便性と軽量な使用感を提供でき、特に寒いシーズンの場合、電子マネー、各種ＩＤチップを搭載した挿入機器を手袋類の基体に施設された収納容器に自在に着脱すれば寒い屋外での外出、散歩、ウォーキング、ジョキング、スキー、ゴルフ等の最中にお買い物をする際には、小銭入れ、お財布を出し入れする煩雑さを省略でき、予め小銭入れ、お財布の携帯を不要にできる利便性を提案できる効果。【００１８】更に、従来技術（特許文献１の［請求項１］）では発光装置の着脱技術が詳細不明である反面、本新考案は各種機器を搭載した挿入機器を基体に施設された収納容器に自在な着脱が可能なシステムであり、光る抗菌性リストバンド等から挿入機器を平易に取り外し、基体に付着した汗、匂い又は汚れを平易に且つ頻繁に洗濯水等ですすぎ洗いと乾燥ができる可能性と利便性を提案し、収納容器を基体との接着のために使用した一般的な接着剤が水に溶解、劣化しやすい欠陥を排除し、本考案は金属製リングをカシメ留めで基体に固着した収納容器を採用し、消費者に光る抗菌性リストバンド等の清潔さと美的外観を常時維持可能にできる洗濯機での水洗いの可能性と利便性を提案できる効果。【００１９】本新考案は、消費者の多様な使用目的に応じて、電子マネーチップ、ＩＣチップ、ＬＥＤ照明灯、歩数計、ストップウオッチ、ラップ計測器、スマートウオッチ、心拍計、血圧計、その他生体情報収集・分析端末、Ｂｌｕｅｔｏｏｔｈ，その他情報端末機類を単体もしくは複合体で搭載した円形及び異形の挿入機器が基体に施設された単数又は複数の円形及び異形の収納容器にそれぞれ挿入、着脱できるシステムを追加施設可能であり、その場合消費者の多様化するライフ・シーンに合わせて各種挿入機器をそれぞれ選択挿入でき、昼夜を問わない豊かなライフ・シーンが自在に広がる可能性と利便性を追加提案できる効果【００２０】従来技術（特許文献２の［請求項１，２］）に開示されている技術は一般的な大きさを備えたタオルを基体として部分的に発光撚糸を付加しているため、上下左右等の激しい変化を伴うスポーツ活動時の激しい身体変化に必要な身体への固着性及び携帯の可能性を欠き、周囲に向かって全方位方向に発光できない欠陥を有するが、本新考案は、コンパクトな光る抗菌性リストバンド等を基体とし、人肌に優しく吸湿性の優れた木綿を主体としたガーゼ織物、タオル織物、又は双方の混合織物に蓄光性含有物を含む発光性撚糸及び抗菌加工された撚糸を混紡した織物で基体を構成し、夜間では左右の両手首に着用すれば、汗拭きの利便性だけでなく、左右の両手首から前後左右等の周囲に向かって全位方向に発光できるので、より安全性を確保でき、又遠方から平易に視認でき、防犯上の安全性向上、接触事故の抑止向上の実現ができる効果を実現でき、抗菌加工された撚糸の追加使用により基体の抗菌作用が清潔さを保持でき、これらの効果はヘアーバンド、レッグバンド、ベルト、バンド、バッグ、グローブ、シューズ、キャップ、マフラー、スカーフ、トレーニングウエア、手袋、その他身の回り品、下着類、その他の衣料等にも適用できる効果がある。
【産業上の効果】
【００２１】本新考案は、従来技術（特許文献１）による高価格構造で重量負荷の大きい発光装置の構築の不都合、又従来技術（特許文献２）で開示されている容積の過大なタオルに僅少の発光部分のみが適用されている不都合を排除し、汗拭きとしてコンパクトで光る抗菌性リストバンド等を低価格なガーゼ織物、タオル織物及び双方の混合織物にそれぞれ蓄光性発光物質を含む発光撚糸、抗菌加工された撚糸、伸縮性ある撚糸で混紡された織物で基体を構成し、消費者が昼間だけでなく夜間にもウオーキング、ジョギング、サイクリング等の活動をする場合、接触事故の抑止、防犯上の安全確保に貢献できる製品として製造供給でき、更に健康値測定機器類、各種生体情報収集分析機、各種通信機器類及び電子マネーチップ、ＩＣチップ等を単体で又は複合体で搭載した各種挿入機器を新考案のリストバンド類の基体に着脱自在な収納容器を施設すれば、消費者の日常生活の利便性向上及び健康生活向上に広く寄与できる利便性が確保でき、更に寒いシーズンには手袋を基体としてこのシステムを導入すれば外出、散歩、ウォーキング、その他野外活動時にお買い物をする際に小銭入れ、お財布の煩雑な出し入れを排除でき、平易にお買い物ができる利便性も提案でき、安価な新製品で日常生活の利便性向上、及び社会の健康増進運動の普及拡大に貢献できる産業上の効果。
【図面の簡単な説明】
【００２２】
【図１】  本考案の実施形態を示す光る織物の正面構成図
【図２】  本考案の実施形態を示す光る織物の側面断面図
【図３】  本考案の実施形態を示す光るリストバンドに電子マネーチップ挿入器を収納した正面外観図
【図４】  本考案の実施形態を示す光るリストバンドに電子マネーチップ挿入器を収納した斜面方向の外観図
【図５】  本考案の実施形態を示す光るリストバンドの基体の空洞に固定した金属製コの字型リムの上下部分で基体をカシメ留めした収納容器の断面図
【図６】  本考案の実施形態を示す光るリストバンドの基体に施設された収納容器の内側面に僅かな凹状と、挿入機器の外周側面に僅かな凸状を勘合させた断面図
【発明を実施するための形態】
【００２３】以下、本考案の実施の形態を図１〜図６に基づいて説明する。
【００２４】図１において、光るリストバンドの基体を構成する伸縮性撚糸、蓄光性物質を含む発光撚糸を緯糸として、一般混紡用撚糸を径糸として織り込まれた生地を示す正面構成図を示す。
【００２５】図２において、光るリストバンドの基体を構成する伸縮性撚糸、蓄光性物質を含む発光撚糸を緯糸として、一般混紡用撚糸を径糸として織り込まれた生地を示す側面断面図を示す。
【００２６】図３において、光るリストバンドの基体に施設された円形又は異形の収納容器に、電子マネーチップを搭載した円形又は異形の挿入機器が着脱自在に挿入された正面の全体外観図を示す。
【００２７】図４において、光るリストバンドの基体の空洞に施設された円形または異形の収納容器に、電子マネーチップを搭載した円形又は異形の挿入機器が着脱自在に挿入された斜方向の全体外観図を示す。
【００２８】図５において、光るリストバンドの基体の空洞に施設されたコの字型金属製リムの上下に分割され伸びた金属部分で基体を挟み込んで上下からカシメ留めで固着された円形又は異形の収納容器の側面の横断図を示す。
【００２９】図６において、金属製収納容器の内側面に僅かななだらかな凹状を形成し、更に挿入機器の外周側面に僅かななだらかな凸状を形成し、挿入機器が収納されたり取り外したりの反復操作が指先での圧入又は押し出しで容易に行われやすい構造の断面図を示す。
【符号の説明】
【００３０】１……光る抗菌性リストバンドに収納された電子マネー
１ａ…伸縮性撚糸の緯糸
１ｂ−蓄光性物質を内蔵した発光撚糸の緯糸
１ｃ−抗菌加工された撚糸の緯糸
１ｄ…一般のパイル撚糸の径糸
２――光る抗菌性織物の基体
２ａ…基体の光るリストバンド
２ｂ…防水型挿入容器の外周部上面
２ｃ…防水型挿入容器のガラス風防部
２ｄ…防止型挿入容器に埋蔵された電子マネー端末
３ａ…金属製収納容器のコの字型リム
３ｂ…金属製収納容器のコの字型リムのカシメ止め上下部分
３ｃ…基体の中央に収納容器用に施設された空洞
４ａ…防水型挿入容器外周部の僅かでなだらかな凸状側面
４ｂ−−収納容器内周部の僅かでなだらかな凹状側面
【図１】
2019035180.tif 000003
【図２】
2019035180.tif 000004
【図３】
2019035180.tif 000005
【図４】
2019035180.tif 000006
【図５】
2019035180.tif 000007
【図６】
2019035180.tif 000008